(57)【特許請求の範囲】
【請求項１】
複数の電線がシール状態で配設される複数のシール孔を有する一括ゴム栓と、
前記一括ゴム栓が装着されるゴム栓装着部と、
前記シール孔に対応する位置に形成された装着孔を有し、前記一括ゴム栓の後方から前記ゴム栓装着部に装着されることで前記一括ゴム栓を抜け止めするゴム栓ホルダと、
前記ゴム栓装着部の後端から後方に突出して設けられたガイド部と、
前記ガイド部に装着され、前記複数の電線をそれぞれ挿通させる複数の挿通孔が前後方向に貫通して設けられた電線振れ抑制部材とを備え、
前記電線振れ抑制部材は、前記電線の外周面と前記シール孔の内周面との間に進入する進入位置と前記シール孔の後方に退避した退避位置との間を移動可能とされ、前記退避位置では、前記電線振れ抑制部材の前端が前記ゴム栓ホルダの前記装着孔を貫通し、前記電線振れ抑制部材の後端が前記ゴム栓ホルダの後端よりも後方に突出する態様とされている防水コネクタ。
【請求項２】
前記電線振れ抑制部材は、前記ガイド部に装着される本体部と、前記本体部の前端面からそれぞれ前記複数の挿通孔に沿って筒状に設けられた複数の筒部とを備えて構成され、前記進入位置では、前記本体部の前端面が前記ゴム栓ホルダに後方から当接することで前記電線振れ抑制部材が前止まりされる請求項１に記載の防水コネクタ。
【請求項３】
前記進入位置では、前記筒部の前端が前記シール孔を貫通して前記一括ゴム栓の前端に位置することで前記シール孔が拡径されて前記一括ゴム栓が前記電線の外周面に接触しない請求項２に記載の防水コネクタ。
【請求項４】
前記退避位置では、前記筒部の前端が前記一括ゴム栓の後端に位置することで前記シール孔の内周面が前記電線の外周面に密着している請求項２または請求項３に記載の防水コネクタ。
【請求項５】
前記退避位置では、前後方向において前記本体部の後端が前記ガイド部の後端と揃う態様とされている請求項２から請求項４のいずれか一項に記載の防水コネクタ。
【発明の詳細な説明】
【技術分野】
【０００１】
本明細書によって開示される技術は、防水コネクタに関する。
【背景技術】
【０００２】
従来、一括ゴム栓を備えた防水コネクタとして、例えば特開２００９−１２９８８５号公報（下記特許文献１）に記載のものが知られている。この防水コネクタは、一括ゴム栓がガタ付きなく嵌合される取付部を有しており、この取付部にゴム栓ホルダを嵌合することで一括ゴム栓が取付部において抜け止めされた状態で保持されている。さらに、ゴム栓ホルダには拡開部材が取り付けられており、この拡開部材は、拡開位置と拡開解除位置の間を前後方向に移動可能とされている。拡開位置では、拡開部材に設けられた筒部が一括ゴム栓のシール孔に進入することで、シール孔を拡開させるように弾性変形させる。一方、拡開解除位置では、筒部がシール孔の後方へ退避することで、シール孔を元の大きさに弾性復帰させる。
【先行技術文献】
【特許文献】
【０００３】
【特許文献１】特開２００９−１２９８８５号公報
【発明の概要】
【発明が解決しようとする課題】
【０００４】
しかしながら、上記の防水コネクタでは、拡開部材を最大限後方へ移動させた状態、すなわち拡開部材が拡開解除位置に配された状態でさえ、拡開部材の後端がゴム栓ホルダの後端と揃う位置に留まっており、拡開部材の後端からシール孔までの距離が短いものとされている。このため、電線が振られると、電線の振れがシール孔に容易に伝わり、これによってシール孔が拡径して、シール孔の内周面に設けられたリップ部が電線の外周面に密着しなくなることで、シール性能が低下するおそれがある。
【課題を解決するための手段】
【０００５】
本明細書によって開示される防水コネクタは、複数の電線がシール状態で配設される複数のシール孔を有する一括ゴム栓と、前記一括ゴム栓が装着されるゴム栓装着部と、前記一括ゴム栓の後方から前記ゴム栓装着部に装着されることで前記一括ゴム栓を抜け止めするゴム栓ホルダと、前記ゴム栓装着部の後端から後方に突出して設けられたガイド部と、前記ガイド部に装着され、前記複数の電線をそれぞれ挿通させる複数の挿通孔が前後方向に貫通して設けられた電線振れ抑制部材とを備え、前記電線振れ抑制部材は、前記電線の外周面と前記シール孔の内周面との間に進入する進入位置と前記シール孔の後方に退避した退避位置との間を移動可能とされ、前記退避位置では、前記電線振れ抑制部材が前記ゴム栓ホルダの後端よりも後方に突出する態様とされている構成とした。
【０００６】
このような構成によると、電線振れ抑制部材によって一括ゴム栓のシール孔における電線の振れを抑制することができる。すなわち、電線振れ抑制部材の後端がゴム栓ホルダの後端よりも後方に突出しており、電線振れ抑制部材の後端からシール孔までの距離が十分長いものとされているから、電線振れ抑制部材の後方で電線が振れたとしても、電線の振れがシール孔まで伝わることはなく、シール性能が低下するおそれはない。
【０００７】
本明細書によって開示される防水コネクタは、以下の構成としてもよい。
前記電線振れ抑制部材は、前記ガイド部に装着される本体部と、前記本体部の前端面からそれぞれ前記複数の挿通孔に沿って筒状に設けられた複数の筒部とを備えて構成され、前記進入位置では、前記本体部の前端面が前記ゴム栓ホルダに後方から当接することで前記電線振れ抑制部材が前止まりされる構成としてもよい。
このような構成によると、本体部の前端面がゴム栓ホルダに後方から当接することで電線振れ抑制部材が前止まりされるため、電線振れ抑制部材をガイド部に装着する際に、進入位置に位置決めすることができる。
【０００８】
前記進入位置では、前記筒部の前端が前記シール孔を貫通して前記一括ゴム栓の前端に位置することで前記シール孔が拡径されて前記一括ゴム栓が前記電線の外周面に接触しない構成としてもよい。
このような構成によると、シール孔に端子付き電線を後方から挿入する際に、端子の先端によって一括ゴム栓が傷付くことを防止できる。
【０００９】
前記退避位置では、前記筒部の前端が前記一括ゴム栓の後端に位置することで前記シール孔の内周面が前記電線の外周面に密着している構成としてもよい。
このような構成によると、シール孔に電線を挿入した後、電線振れ抑制部材を進入位置から退避位置へ移動させることにより、シール孔の内周面を電線の外周面に密着させることができ、シール性能を発揮させることができる。
【００１０】
前記退避位置では、前後方向において前記本体部の後端が前記ガイド部の後端と揃う態様とされている構成としてもよい。
このような構成によると、退避位置において電線振れ抑制部材をガイド部によって保護することができる。
【発明の効果】
【００１１】
本明細書によって開示される防水コネクタによれば、電線振れ抑制部材によって一括ゴム栓のシール孔における電線の振れを抑制でき、シール性能が低下することを防止できる。
【図面の簡単な説明】
【００１２】
【図１】防水コネクタの構成部品を示した縦断面図
【図２】防水コネクタの構成部品を示した横断面図
【図３】端子付き電線をリアホルダの挿通孔に挿入する前の状態を示した縦断面図
【図４】端子付き電線をリアホルダの挿通孔に挿入する途中の状態を示した縦断面図
【図５】端子付き電線をリアホルダの挿通孔に挿入してリアヤホルダを退避位置へ移動させた状態を示した縦断面図
【図６】リアホルダが進入位置にある状態を示した横断面図
【図７】リアホルダが退避位置にある状態を示した横断面図
【発明を実施するための形態】
【００１３】
＜実施形態＞
実施形態を図１から図７の図面を参照しながら説明する。本実施形態における防水コネクタ１０は、図１に示すように、ハウジング２０と、一括ゴム栓３０と、ゴム栓ホルダ４０と、リアホルダ５０とを備えて構成されている。なお、以下の説明では、図１の図示左方を前方とし、図１の図示右方を後方とする。
【００１４】
ハウジング２０は、合成樹脂製のハウジング本体２１と、ハウジング本体２１の端子収容部２２に前方から嵌着されるフロントリテーナ２３とを備えて構成されている。端子収容部２２の基端側外周にはゴムリング７０が装着されている。このゴムリング７０はフロントリテーナ２３によって抜け止めされている。ハウジング本体２１は、前方に開口する形態をなすフード部２４を有しており、このフード部２４の奥壁２５から前方に突出する態様で端子収容部２２が設けられている。
【００１５】
端子収容部２２の後方には、一括ゴム栓３０が装着されるゴム栓装着部２６が設けられている。ゴム栓装着部２６は、フード部２４の奥壁２５から後方に突出する態様で設けられており、後方に開口する形態をなしている。端子収容部２２とゴム栓装着部２６は端子付き電線６０の端子６１を収容するキャビティを構成しており、端子収容部２２の内部とゴム栓装着部２６の内部とは連通している。
【００１６】
ゴム栓装着部２６を構成する上下の両壁部には、図１および図２に示すように、ゴム栓ホルダ４０を保持するための複数の保持孔２６Ａがそれぞれ設けられている。複数の保持孔２６Ａは、本実施形態では、ゴム栓装着部２６の上側の壁部と下側の壁部とにそれぞれ一対ずつ設けられている。一方、ゴム栓ホルダ４０は、平板状とされ、その周縁部には、各保持孔２６Ａに嵌まり込む複数の保持突起４１が設けられている。ゴム栓ホルダ４０は、ゴム栓装着部２６に対して圧入気味に装着される。各保持突起４１が各保持孔２６Ａに嵌まり込んで係止することにより、ゴム栓ホルダ４０がゴム栓装着部２６に固定されるとともに、同じくゴム栓装着部２６に装着された一括ゴム栓３０を抜け止めするようなっている。また、ゴム栓ホルダ４０には、ゴム栓３０のシール孔３１と対応する位置に装着孔４２が設けられている。
【００１７】
図２に示すように、ゴム栓装着部２６の後端には、一対のガイド壁２７が後方に突出して、ゴム栓装着部２６に連なるように設けられている。各ガイド壁２７は、幅方向（図２の図示上下方向）に対向状態で配されており、各ガイド壁２７は後方から見て略門形をなし、互いに内側を向いて開口する形態とされている。詳細に説明すると、ガイド壁２７は、側壁２８Ａと、側壁２８Ａの上縁から幅方向内側に向かう天井壁２８Ｂと、側壁２８Ａの下縁から幅方向内側に向かう底壁２８Ｃ（図１参照）とを備えて構成されている。
【００１８】
各ガイド壁２７の側壁２８Ａには、それぞれ仮係止孔２７Ａと本係止孔２７Ｂとが設けられている。仮係止孔２７Ａと本係止孔２７Ｂは前後方向に並んで設けられ、仮係止孔２７Ａの後方に本係止孔２７Ｂが配されている。より詳細には、仮係止孔２７Ａは側壁２８Ａの前端部寄りに配され、本係止孔２７Ｂは側壁２８Ａの後端部寄りに配されている。さらに、仮係止孔２７Ａは、前後方向においてゴム栓装着部２６の保持孔２６Ａよりも後側に配されている。
【００１９】
各ガイド壁２７の天井壁２８Ｂ間に上側のスリット２７Ｃが設けられ、底壁２８Ｃ間に下側のスリット２７Ｄ（図１参照）が設けられている。これらのスリット２７Ｃ、２７Ｄは、リアホルダ５０を前後方向に移動させる際に上下から指を入れる空間とされている。
【００２０】
各ガイド壁２７の後端における内周縁には、テーパ状の誘導面２９が設けられている。一括ゴム栓３０をゴム栓装着部２６に装着する際に、一括ゴム栓３０が誘導面２９に接触しながら各ガイド壁２７の間に案内され、ここから前方に押し込まれることでゴム栓装着部２６の内部に圧縮状態で収容されるようになっている。
【００２１】
一括ゴム栓３０は、図１および図２に示すように、電線Ｗが挿入される複数のシール孔３１が幅方向に並んで設けられている。シール孔３１の周面には、複数条の内周リップ３２が前後方向に並んで設けられている。シール孔３１の電線Ｗが挿入されると、各内周リップ３２が電線Ｗの外周面に全周に亘って密着するようになっている。これにより、複数の電線Ｗがシール孔３１にシール状態で配設される。
【００２２】
また、一括ゴム栓３０の外面には、複数条の外周リップ３３が前後方向に並んで設けられている。一括ゴム栓３０をゴム栓装着部２６の内部に収容すると、各外周リップ３３がゴム栓装着部２６の内壁に全周に亘って密着するようになっている。これにより、ゴム栓装着部２６からハウジング２０の内部に水が浸入することが防止され、ハウジング２０の内部がシール状態に保持される。
【００２３】
リアホルダ５０は、図１および図２に示すように、複数の電線Ｗをそれぞれ挿通させる複数の挿通孔５１を有している。この挿通孔５１は、端子６１より大きく、電線Ｗの外径よりわずかに大きい内径を有している。このため、挿通孔５１に端子付き電線６０を後方から通すと、挿通孔５１の内壁によって電線Ｗの振れが抑制される。また、リアホルダ５０は、一対のガイド壁２７の間に装着されており、図４に示す進入位置と図５に示す退避位置との間を前後方向に移動可能とされている。
【００２４】
リアホルダ５０は、図６および図７に示すように、一対のガイド壁２７に装着される本体部５２と、本体部５２の前端面５４からそれぞれ複数の挿通孔５１に沿って円筒状に設けられた複数の筒部５３とを備えて構成されている。図４および図５に示すように、本体部５２の上下両面の後端部には、上下一対の指掛け部５７が設けられている。これらの指掛け部５７は、上下のスリット２７Ｃ、２７Ｄに位置して外部から指を引っ掛けることができるようになっている。
【００２５】
また、図６および図７に示すように、本体部５２の両側面には、一対の係止リブ５５が設けられている。図６に示すように、各係止リブ５５が各仮係止孔２７Ａに嵌まり込んで係止することにより、リアホルダ５０が進入位置に保持される。また、図７に示すように、各係止リブ５５が各本係止孔２７Ｂに嵌まり込んで係止することにより、リアホルダ５０が退避位置に保持される。
【００２６】
図４および図６に示すように、リアホルダ５０が退避位置から前方に押し込まれて進入位置に至ると、本体部５２の前端面５４がゴム栓ホルダ４０に後方から当接することでリアホルダ５０が前止まりされるようになっている。進入位置では、筒部５３が電線Ｗの外周面とシール孔３１の内周面との間に進入し、筒部５３の前端が装着孔４２およびシール孔３１を貫通して一括ゴム栓３０の前端に位置する。このため、シール孔３１が筒部５３によって拡径され、図４に示すように、各内周リップ３２が端子６１および電線Ｗの外周面に接触しない位置に留められる。このため、各内周リップ３２が端子６１の前端角部やスタビライザ等によって傷付くことはない。
【００２７】
また、リアホルダ５０の挿通孔５１の内径は、端子収容部２２のキャビティの内径とほぼ同じであり、進入位置では、端子収容部２２のキャビティとリアホルダ５０の挿通孔５１とが切れ目無く一直線につながるようになっている。すなわち、進入位置では、端子収容部２２のキャビティとリアホルダ５０の挿通孔５１とによって、端子６１を挿通するための一続きの挿通路が構成されていると言うことができる。
【００２８】
一方、図７に示す退避位置は、筒部５３がシール孔３１の後方に退避し、筒部５３の前端が装着孔４２を貫通してシール孔３１に一部進入するものの、全ての内周リップ３２に接触しない位置となっている。このため、各内周リップ３２は復帰し、図５に示すように、電線Ｗの外周面に密着することになる。
【００２９】
また、退避位置では、リアホルダ５０がゴム栓ホルダ４０の後端よりも後方に突出する態様とされている。このため、本体部５２における挿通孔５１の後端開口縁部５６からシール孔３１までの距離は、ほぼリアホルダ５０の全長と等しくなり、電線Ｗの振れを抑制するのに十分な長さを確保することができる。ここで、筒部５３の全長は、一括ゴム栓３０の全長とほぼ等しく、退避位置では一括ゴム栓３０の後方に筒部５３と本体部５２とが配されるため、一括ゴム栓３０の全長以上の長さで電線Ｗの振れを抑制できる。したがって、リアホルダ５０が退避位置にあるときに電線Ｗが振られた場合に、電線Ｗの振れがシール孔３１の内周リップ３２にまで伝わることはなく、シール性能を確保することができる。なお、図７に示すように、本体部５２の後端は、前後方向においてガイド壁２７の後端と揃う態様とされているため、退避位置においてリアホルダ５０を一対のガイド壁２７によって保護することができる。
【００３０】
本実施形態は以上のような構成であって、続いてその作用を説明する。図３に示すように、一括ゴム栓３０をゴム栓装着部２６に装着した後、ゴム栓ホルダ４０をゴム栓装着部２６に装着することにより、一括ゴム栓３０を抜け止めする。次に、リアホルダ５０を後方から一対のガイド壁２７の間に挿入し、筒部５３をシール孔３１の内部に挿入していく。すると、本体部５２の前端面５４がゴム栓ホルダ４０に後方から当接することでリアホルダ５０の挿入が停止され、各係止リブ５５が各仮係止孔２７Ａに嵌まり込んで係止することによって、リアホルダ５０が進入位置に保持される。
【００３１】
次に、図４に示すように、端子付き電線６０を挿通孔５１から端子収容部２２のキャビティに挿入していく。全ての端子６１が正規の装着位置に至ってランス２２Ａによって保持された後、リアホルダ５０を後方へ移動させる。そして、リアホルダ５０が退避位置に至ると、各係止リブ５５が各本係止孔２７Ｂに嵌まり込んで係止することによって、リアホルダ５０が退避位置に保持される。退避位置では図５に示すように、一括ゴム栓３０の各内周リップ３２が電線Ｗの外周面に密着して端子収容部２２の内部がシールされ、シール孔３１から後方に引き出された電線Ｗが挿通孔５１に配された状態になる。この状態では、リアホルダ５０によって電線Ｗの振れが抑制され、一括ゴム栓３０によるシール性能が確保される。
【００３２】
以上のように本実施形態では、電線振れ抑制部材（リアホルダ５０）によって一括ゴム栓３０のシール孔３１における電線Ｗの振れを抑制することができる。すなわち、電線振れ抑制部材の後端がゴム栓ホルダ４０の後端よりも後方に突出しており、電線振れ抑制部材の後端からシール孔３１までの距離が十分長いものとされているから、電線振れ抑制部材の後方で電線Ｗが振れたとしても、電線Ｗの振れがシール孔３１まで伝わることはなく、シール性能が低下するおそれはない。
【００３３】
電線振れ抑制部材は、ガイド部（一対のガイド壁２７）に装着される本体部５２と、本体部５２の前端面５４からそれぞれ複数の挿通孔５１に沿って筒状に設けられた複数の筒部５３とを備えて構成され、進入位置では、本体部５２の前端面５４がゴム栓ホルダ４０に後方から当接することで電線振れ抑制部材が前止まりされる構成としてもよい。
このような構成によると、本体部５２の前端面５４がゴム栓ホルダ４０に後方から当接することで電線振れ抑制部材が前止まりされるため、電線振れ抑制部材をガイド部に装着する際に、進入位置に位置決めすることができる。
【００３４】
進入位置では、筒部５３の前端がシール孔３１を貫通して一括ゴム栓３０の前端に位置することでシール孔３１が拡径されて一括ゴム栓３０が電線Ｗの外周面に接触しない構成としてもよい。
このような構成によると、シール孔３１に端子付き電線６０を後方から挿入する際に、端子６１の先端によって一括ゴム栓３０が傷付くことを防止できる。
【００３５】
退避位置では、筒部５３の前端が一括ゴム栓３０の後端に位置することでシール孔３１の内周面が電線Ｗの外周面に密着している構成としてもよい。
このような構成によると、シール孔３１に電線Ｗを挿入した後、電線振れ抑制部材を進入位置から退避位置へ移動させることにより、シール孔３１の内周面を電線Ｗの外周面に密着させることができ、シール性能を発揮させることができる。
【００３６】
退避位置では、前後方向において本体部５２の後端がガイド部の後端と揃う態様とされている構成としてもよい。
このような構成によると、退避位置において電線振れ抑制部材をガイド部によって保護することができる。
【００３７】
＜他の実施形態＞
本明細書によって開示される技術は上記記述及び図面によって説明した実施形態に限定されるものではなく、例えば次のような種々の態様も含まれる。
（１）上記実施形態では本体部５２の前端面５４をゴム栓ホルダ４０に当接させることでゴム栓ホルダ４０の前止まりを行っているものの、指掛け部５７をスリット２７Ｃ、２７Ｄの前端部に当接させることでゴム栓ホルダ４０の前止まりを行うようにしてもよい。
【００３８】
（２）上記実施形態では進入位置にあるときに筒部５３によって全ての内周リップ３２が電線Ｗの外周面に接触しないものの、一部の内周リップ３２を電線Ｗの外周面に接触させてもよい。
【００３９】
（３）上記実施形態では退避位置にあるときに全ての内周リップ３２が電線Ｗの外周面に密着しているものの、一部の内周リップ３２を電線Ｗの外周面に密着させてもよい。
【００４０】
（４）上記実施形態では退避位置にあるときに本体部５２の後端がガイド壁２７の後端に揃う態様とされているものの、本体部５２の後端をガイド壁２７の後端よりも前方に配してもよい。
【符号の説明】
【００４１】
１０…防水コネクタ
２６…ゴム栓装着部
２７…ガイド壁（ガイド部）
３０…一括ゴム栓
３１…シール孔
４０…ゴム栓ホルダ
５０…リアホルダ（電線振れ抑制部材）
５１…挿通孔
５２…本体部
５３…筒部
５４…前端面
Ｗ…電線
【図１】
0006370210.tif 000002
【図２】
0006370210.tif 000003
【図３】
0006370210.tif 000004
【図４】
0006370210.tif 000005
【図５】
0006370210.tif 000006
【図６】
0006370210.tif 000007
【図７】
0006370210.tif 000008